(57)【要約】【課題】起泡性と増粘性がともに実用上有意に優れる洗浄剤組成物を提供する。【解決手段】下記成分（Ａ）、（Ｂ）および（Ｃ）を含有する洗浄剤組成物であって、成分（Ａ）と（Ｂ）の配合比が質量比で、（Ａ）／（Ｂ）＝０．１〜３．０である洗浄剤組成物。（Ａ）下記一般式（１）で表されるＮ−アシルグルタミン酸及び／又はその塩    【化１】2014205857.tif 000006（Ｒ１は炭素数７〜２３のアルキル基を示す。Ｍ1、Ｍ2は水素原子、アルカリ金属あるいはアルカリ土類金属などの金属原子、有機あるいは無機アンモニウム、塩基性アミノ酸、またはコリンであって、Ｍ1、Ｍ2は同じであっても、異なっていてもよい。）（Ｂ）脂肪酸アミドプロピルベタイン及び／又はアルキルベタイン（Ｃ）ノニオン系界面活性剤【選択図】なし【特許請求の範囲】
【請求項１】
下記成分（Ａ）、（Ｂ）および（Ｃ）を含有する洗浄剤組成物であって、成分（Ａ）と（Ｂ）の配合比が質量比で、（Ａ）／（Ｂ）＝０．１〜３．０である洗浄剤組成物。
（Ａ）下記一般式（１）で表されるＮ−アシルグルタミン酸及び／又はその塩
【化１】
2014205857.tif 000005
（Ｒ１は炭素数７〜２３のアルキル基を示す。Ｍ1、Ｍ2は水素原子、アルカリ金属あるいはアルカリ土類金属などの金属原子、有機あるいは無機アンモニウム、塩基性アミノ酸、またはコリンであって、Ｍ1、Ｍ2は同じであっても、異なっていてもよい。）
（Ｂ）脂肪酸アミドプロピルベタイン及び／又はアルキルベタイン
（Ｃ）ノニオン系界面活性剤
【請求項２】
前記（Ｂ）が、ラウラミドプロピルベタイン、コカミドプロピルベタイン、ラウリルベタイン、ココベタインから選ばれる１種以上である、請求項１に記載の洗浄剤組成物。
【請求項３】
前記（Ｃ）が、ヤシ油脂肪酸モノエタノールアミド及び／又はヤシ油脂肪酸ジエタノールアミドであり、成分（Ａ）、（Ｂ）及び（Ｃ）の配合比が質量比で、（Ｃ）／（（Ａ）＋（Ｂ））＝０．１〜１．０である、請求項１又は２に記載の洗浄剤組成物。
【請求項４】
前記（Ｃ）が、（Ｃ１）ヤシ油脂肪酸モノエタノールアミド及び（Ｃ２）ヤシ油脂肪酸ジエタノールアミドであり、成分（Ｃ１）及び（Ｃ２）の配合比が質量比で、（Ｃ１）／（Ｃ２）＝０．１〜３．０である、請求項３に記載の洗浄剤組成物。
【発明の詳細な説明】
【技術分野】
【０００１】
本発明は、アシルアミノ酸系界面活性剤を配合した洗浄剤組成物であって、起泡性と増粘性がともに優れる洗浄剤組成物に関する。
【背景技術】
【０００２】
アシルアミノ酸系界面活性剤は、毛髪や皮膚のｐＨに近い弱酸性処方を可能にすることから近年特に重要視されている。しかしながら、アシルアミノ酸系界面活性剤を配合した液体洗浄剤組成物では、増粘させることが困難であった。特許文献１には、起泡性や増粘性などを向上させた洗浄剤組成物として、アシルアミノ酸類、ポリオキシエチレンアルキルエーテル硫酸塩、窒素含有非イオン性界面活性剤、有機酸又はその塩、アルコール類及びグリチルレチン酸類を含有する洗浄剤組成物が開示されている。
【先行技術文献】
【特許文献】
【０００３】
【特許文献１】特開平１０−１５８６９１号公報
【発明の概要】
【発明が解決しようとする課題】
【０００４】
しかしながら、上記技術では、当業者が望むような十分な起泡性と増粘性を得ることは困難であった。
本発明は、アシルアミノ酸系界面活性剤配合の洗浄剤組成物であって、起泡性と増粘性がともに実用上有意に優れる洗浄剤組成物を提供することを目的とする。
【課題を解決するための手段】
【０００５】
本発明者等は、上記目的を達成すべく鋭意研究を重ねた結果、特定の両性界面活性剤とノニオン系界面活性剤を特定の比率で配合することにより上記目的が達成されることを見いだし、本発明を完成させた。
【０００６】
すなわち、本発明は下記の通りである。
［１］
下記成分（Ａ）、（Ｂ）および（Ｃ）を含有する洗浄剤組成物であって、成分（Ａ）と（Ｂ）の配合比が質量比で、（Ａ）／（Ｂ）＝０．１〜３．０である洗浄剤組成物。
（Ａ）下記一般式（１）で表されるＮ−アシルグルタミン酸及び／又はその塩
【化１】
2014205857.tif 000002
（Ｒ１は炭素数７〜２３のアルキル基を示す。Ｍ1、Ｍ2は水素原子、アルカリ金属あるいはアルカリ土類金属などの金属原子、有機あるいは無機アンモニウム、塩基性アミノ酸、またはコリンであって、Ｍ1、Ｍ2は同じであっても、異なっていてもよい。）
（Ｂ）脂肪酸アミドプロピルベタイン及び／又はアルキルベタイン
（Ｃ）ノニオン系界面活性剤
［２］
前記（Ｂ）が、ラウラミドプロピルベタイン、コカミドプロピルベタイン、ラウリルベタイン、ココベタインから選ばれる１種以上である、［１］に記載の洗浄剤組成物。
［３］
前記（Ｃ）が、ヤシ油脂肪酸モノエタノールアミド及び／又はヤシ油脂肪酸ジエタノールアミドであり、成分（Ａ）、（Ｂ）及び（Ｃ）の配合比が質量比で、（Ｃ）／（（Ａ）＋（Ｂ））＝０．１〜１．０である、［１］又は［２］に記載の洗浄剤組成物。
［４］
前記（Ｃ）が、（Ｃ１）ヤシ油脂肪酸モノエタノールアミド及び（Ｃ２）ヤシ油脂肪酸ジエタノールアミドであり、成分（Ｃ１）及び（Ｃ２）の配合比が質量比で、（Ｃ１）／（Ｃ２）＝０．１〜３．０である、［３］に記載の洗浄剤組成物。
【発明の効果】
【０００７】
本発明により、アシルアミノ酸系界面活性剤配合の洗浄剤組成物であって、起泡性と増粘性がともに実用上有意に優れる洗浄剤組成物を提供することが可能となる。
【発明を実施するための形態】
【０００８】
本発明について、以下具体的に説明する。
＜本発明概要＞
本発明の洗浄剤組成物は、（Ａ）Ｎ−アシルグルタミン酸及び／又はその塩と（Ｂ）脂肪酸アミドプロピルベタイン及び／又はアルキルベタインと（Ｃ）ノニオン系界面活性剤とを、特定の質量比で含有する洗浄剤組成物である。
【０００９】
＜成分（Ａ）について＞
本発明において、成分（Ａ）とは、下記一般式（１）で表されるＮ−アシルグルタミン酸及び／又はその塩である。
【化２】
2014205857.tif 000003
（Ｒ１は炭素数７〜２３のアルキル基を示す。Ｍ1、Ｍ2は水素原子、アルカリ金属あるいはアルカリ土類金属などの金属原子、有機あるいは無機アンモニウム、塩基性アミノ酸、またはコリンであって、Ｍ1、Ｍ2は同じであっても、異なっていてもよい。）
前記成分（Ａ）であるＮ−アシルグルタミン酸としては、Ｒ１の炭素数が７〜２３のアルキル基であれば特に限定されないが、性能や入手容易性の観点より、Ｎ−ラウロイルグルタミン酸（Ｒ１：炭素数１１）、Ｎ−ミリストイルイルグルタミン酸（Ｒ１：炭素数１３）、又はＮ−パルミトイルグルタミン酸（Ｒ１：炭素数１５）、Ｎ−ヤシ油脂肪酸アシルグルタミン酸（Ｒ１：炭素数８〜１８）が好ましい。より好ましくは、Ｎ−ラウロイルグルタミン酸、Ｎ−ヤシ油脂肪酸アシルグルタミン酸である。
【００１０】
これらの塩としては、特に限定されないが、例えば、ナトリウム塩、カリウム塩、リチウム塩、マグネシウム塩、カルシウム塩等の金属塩；アンモニウム塩、アルキルアンモニウム塩等のアンモニウム塩；モノエタノールアミン塩、ジエタノールアミン塩、トリエタノールアミン塩、アミノメチルプロパノール塩等のアミン塩；リジン塩、アルギニン塩等の塩基性アミノ酸塩、コリン塩等の単一物あるいは混合物が挙げられる。性能や入手容易性の観点より、対イオンがナトリウムおよび／またはトリエタノールアンモニウムであるＮ−アシルグルタミン酸塩を用いることが好ましい。
上記成分（Ａ）としては、Ｎ−アシルグルタミン酸とＮ−アシルグルタミン酸塩とを併用してもよい。また、塩の配合に代えて、Ｎ−アシルグルタミン酸と塩基とを、それぞれ配合し、配合処方の中で塩を形成することもできる。
【００１１】
＜成分（Ｂ）について＞
本発明において、成分（Ｂ）とは、脂肪酸アミドプロピルベタイン及び／又はアルキルベタインである。脂肪酸アミドプロピルベタインとしては、特に限定されないが、例えば、ラウラミドプロピルベタイン、ミリスタミドプロピルベタイン、ステアラミドプロピルベタイン、オレイルアミドプロピルベタイン、コカミドプロピルベタイン等が挙げられる。この中でも、ラウラミドプロピルベタイン又はコカミドプロピルベタインが好ましく、より好ましくはラウラミドプロピルベタインである。アルキルベタインとしては、特に限定されないが、例えば、ラウリルベタイン、ミリスチルベタイン、パルミチルベタイン、ステアリルベタイン、オレイルベタイン、ココベタイン等が挙げられる。この中でも、ココベタイン又はラウリルベタインが好ましく、より好ましくはココベタインである。
【００１２】
＜成分（Ｃ）について＞
本発明において、成分（Ｃ）とは、ノニオン系界面活性剤である。ノニオン系界面活性剤としては、特に限定されないが、例えば、ＰＯＥ（ポリオキシエチレン）オクチルエーテル、ＰＯＥラウリルエーテル、ＰＯＥミリスチルエーテル、ＰＯＥセチルエーテル、ＰＯＥステアリルエーテル、ＰＯＥオレイルエーテル、ＰＯＥイソステアリルエーテル、ＰＯＥベヘニルエーテル、ＰＯＥオクチル（２−エチル−ヘキシル）エーテル等のポリオキシエチレンアルキルエーテル；ＰＯＥ・ＰＯＰ（ポリオキシプロピレン）ブチルエーテル、ＰＯＥ・ＰＯＥラウリルエーテル、ＰＯＥ・ＰＯＰセチルエーテルＰＯＥ・ＰＯＰグリコール等のポリオキシエチレンポリオキシプロピレングリコール型；ＰＯＥオクチルフェニルエーテル、ＰＯＥノニルフェニルエーテル、ＰＯＥクロロフェニルエーテル、ポリオキシエチレンナフトールエーテル等のポリオキシエチレンアリールエーテル；ＰＯＥ硬化ひまし油エーテル、ＰＯＥひまし油エーテル；その他ＰＯＥラノリンアルコールエーテル、ＰＯＥフィトステロール等のエーテル系；モノステアリン酸ＰＯＥグリセリル、オレイン酸ＰＯＥグリセリル等のポリオキシエチレングリセリン脂肪酸エステル；モノラウリン酸ＰＯＥソルビタン、モノステアリン酸ＰＯＥソルビタン、トリステアリン酸ＰＯＥソルビタン、モノイソステアリン酸ＰＯＥソルビタン等のポリオキシエチレンソルビタン脂肪酸エステル；ヘキサステアリン酸ＰＯＥソルビトール、テトラステアリン酸ＰＯＥソルビトール、テトラオレイン酸ＰＯＥソルビトール、モノラウリン酸ＰＯＥソルビトール等のポリオキシエチレンソルビトール脂肪酸エステル；
【００１３】
ポリエチレングリコールモノラウリン酸、ポリエチレングリコールモノステアリン酸、ポリエチレングリコールモノオレイン酸、ポリエチレングリコールジステアリン酸、ポリエチレングリコールジオレイン酸、ポリエチレングリコールジイソステアリン酸等のポリエチレングリコール脂肪酸エステル；その他ポリエチレングリコールラノリン脂肪酸エステル等のエーテルエステル系；モノステアリン酸グリセリル、自己乳化型モノステアリン酸グリセリル、モノヒドロキシステアリン酸グリセリル、ジステアリン酸グリセリル等のグリセリン脂肪酸エステル；モノステアリン酸ジグリセリル、モノオレイン酸ジグリセリル、ジオレイン酸ジグリセリル、モノイソステアリン酸ジグリセリル、モノステアリン酸テトラグリセリル、トリステアリン酸テトラグリセリル、ペンタステアリン酸テトラグリセリル、モノラウリン酸ヘキサグリセリル、モノミリスチン酸ヘキサグリセリル、ジステアリン酸デカグリセリル、ジイソステアリン酸デカグリセリル等のポリグリセリン脂肪酸エステル；モノラウリン酸ソルビタン、モノステアリン酸ソルビタン、モノオレイン酸ソルビタン、トリオレイン酸ソルビタン、トリステアリン酸ソルビタン、モノイソステアリン酸ソルビタン等のソルビタン脂肪酸エステル；モノラウリン酸エチレングリコール等のエチレングリコール脂肪酸エステル；モノステアリン酸プロピレングリコール、自己乳化型モノステアリン酸プロピレングリコール等のプロピレングリコール脂肪酸エステル；
【００１４】
モノステアリン酸ペンタエリスリトール、モノオレイン酸ペンタエリスリトール等のペンタエリスリトール脂肪酸エステル；マルチトールヒドロキシ脂肪酸エーテル、アルキル化多糖、アルキル（ポリ）グルコシド、シュガーエステル等の糖誘導体；α−モノイソステアリルグリセリルエーテル等のアルキルグリセリルエーテル；アセチル−モノグリ、乳酸モノグリセリド、クエン酸モノグリセリド等の有機酸モノグリセリド；ヤシ油脂肪酸モノエタノールアミド、ラウロイルモノエタノールアミド、ミリストイルモノエタノールアミド、ラウロイルジエタノールアミド、ヤシ油脂肪酸ジエタノールアミド、ラウロイルイソプロパノールアミド、ミリストイルイソプロパノールアミド、ヤシ油脂肪酸イソプロパノールアミド、ＰＯＥラウロイルモノエタノールアミド等の脂肪酸アルカノールアミド；ＰＯＥラウリルアミン、ＰＯＥステアリルアミン等のＰＯＥアルキルアミン；ラウリルジメチルアミンオキサイド、ココジメチルアミンオキサイド、ココアミドプロピルジメチルアミンオキサイド等のアミンオキサイド等が挙げられる。この中でも、脂肪酸アルカノールアミドが好ましく、より好ましくはヤシ油脂肪酸モノエタノールアミド、ヤシ油脂肪酸ジエタノールアミドである。
【００１５】
＜配合比＞
本発明の洗浄剤組成物において、成分（Ａ）と（Ｂ）の配合比が質量比で、（Ａ）／（Ｂ）＝０．１〜３．０である。成分（Ａ）と（Ｂ）を当該質量比で配合することにより、起泡性と増粘性ともに実用上有意に高めることが可能となる。より好ましくは、（Ａ）／（Ｂ）＝０．２〜２．０であり、さらに好ましくは、（Ａ）／（Ｂ）＝０．４〜１．５である。
本発明の洗浄剤組成物において、成分（Ａ）、（Ｂ）及び（Ｃ）の配合比は質量比で、（Ｃ）／（（Ａ）＋（Ｂ））＝０．１〜１．０であることが好ましい。当該質量比で配合することにより、起泡性と増粘性をより高めることが可能となる。より好ましくは（Ｃ）／（（Ａ）＋（Ｂ））＝０．１〜０．８であり、最も好ましくは（Ｃ）／（（Ａ）＋（Ｂ））＝０．２〜０．６である。
【００１６】
本発明の洗浄剤組成物において、洗浄剤組成物全体に対する成分（Ａ）、（Ｂ）、（Ｃ）の合計の含有率は特に限定されないが、１〜５０質量％であることが好ましい。より好ましくは５〜４０質量％であり、さらに好ましくは１０〜３５質量％である。
本発明の洗浄剤組成物において、洗浄剤組成物のｐＨは特に限定されないが、４．０〜８．０であることが好ましい。より好ましくは４．５〜７．５であり、さらに好ましくは５．０〜７．０である。
【００１７】
本発明の洗浄剤組成物には、陰イオン系界面活性剤を併用することができる。陰イオン系界面活性剤としては特に限定されないが、例えば、ラウリル硫酸ナトリウム、ラウリル硫酸カリウム、ミリスチル硫酸ナトリウム、ミリスチル硫酸カリウム、セチル硫酸ナトリウム、ステアリル硫酸ナトリウム、オレイル硫酸ナトリウム、ラウリル硫酸トリエタノールアミン等のアルキル硫酸およびその塩；
【００１８】
ポリオキシエチレンラウリルエーテル硫酸ナトリウム、ポリオキシエチレンセチルエーテル硫酸ナトリウム、ポリオキシエチレンオレイルエーテル硫酸ナトリウム、ポリオキシエチレンラウリルエーテル硫酸トリエタノールアミン等のアルキルエーテル硫酸およびその塩；ポリオキシエチレンオクチルフェニルエーテル硫酸ナトリウム等のアルキルアリールエーテル硫酸およびその塩；ポリオキシエチレンラウリン酸アミドエーテル硫酸ナトリウム、ポリオキシエチレンラウリン酸アミドエーテル硫酸トリエタノールアミン、ポリオキシエチレンミリスチン酸アミドエーテル硫酸ナトリウム、ポリオキシエチレンオレイン酸アミドエーテル硫酸ナトリウム、ポリオキシエチレンヤシ油脂肪酸アミドエーテル硫酸ナトリウム、オレイン酸アミドエーテル硫酸ナトリウム等のアルキルアミド硫酸およびその塩；硬化ヤシ油脂肪酸グリセリン硫酸ナトリウム等のアシルエステル硫酸およびその塩；ラウリルスルホン酸ナトリウム、ミリスチルスルホン酸ナトリウム、ヤシ油アルキルスルホン酸ナトリウム等のアルキルスルホン酸およびその塩；リニアドデシルベンゼンスルホン酸ナトリウム、リニアドデシルベンゼンスルホン酸トリエタノールアミン等のアルキルベンゼンスルホン酸およびその塩；アルキルナフタレンスルホン酸およびその塩；ナフタレンスルホン酸塩のホルマリン重縮合物等のホルマリン縮合系スルホン酸およびその塩；スルホコハク酸ラウリル２ナトリウム、ジ−２−エチルヘキシルスルホコハク酸ナトリウム、ポリオキシエチレンスルホコハク酸ラウリル２ナトリウム、オレイン酸アミドスルホコハク酸２ナトリウム等のスルホコハク酸およびその塩；
【００１９】
ドデセンスルホン酸ナトリウム、テトラデセンスルホン酸ナトリウム、ドデセンスルホン酸カリウム、デトラデセンスルホン酸カリウム等のα−オレフィンスルホン酸およびその塩；α−スルホラウリン酸メチルエステル、α−スルホミリスチン酸メチルエステル、α−スルホラウリン酸（ＥＯ）ｎメチルエステル等のα−スルホ脂肪酸エステルおよびその塩；ヤシ油脂肪酸アシル−Ｎメチルタウリンカリウム、ラウロイル−Ｎメチルタウリンナトリウム、ラウロイル−Ｎメチルタウリンカリウム、ラウロイル−Ｎメチルタウリントリエタノールアミン、ミリストイル−Ｎメチルタウリンナトリウム、ミリストイル−Ｎメチルタウリントリエタノールアミン、ヤシ油脂肪酸アシル−Ｎメチルタウリンナトリウム、ヤシ油脂肪酸アシル−Ｎメチルタウリントリエタンールアミン等のＮ−アシルメチル−タウリンおよびその塩；ラウロイルイセチオン酸ナトリウム、ミリストイルイセチオン酸ナトリウム、ヤシ油脂肪酸アシルイセチオン酸ナトリウム等のアシルイセチオン酸およびその塩；アルキルスルホ酢酸塩；ポリオキシエチレンラウリルエーテルリン酸ナトリウム、ポリオキシエチレンセチルエーテルリン酸ナトリウム、ポリオキシエチレンミリスチルリン酸カリウム、ポリオキシエチレンオレイルエーテルリン酸ナトリウム、ジポリオキシエチレンオレイルエーテルリン酸ナトリウム等のアルキルエーテルリン酸およびその塩；アルキルアリールエーテルリン酸およびその塩；ポリオキシエチレンラウリルアミドエーテルリン酸ナトリウム等の脂肪酸アミドエーテルリン酸およびその塩；
【００２０】
ラウリルリン酸ナトリウム、ミリスチルリン酸ナトリウム、ヤシ油脂肪酸リン酸ナトリウム、ミリスチルリン酸カリウム、ラウリルリン酸トリエタノールアミン、オレイルリン酸ジエタノールアミン等のアルキルリン酸およびその塩；Ｎ−ラウロイルグルタミン酸ナトリウム、Ｎ−ミリストイルグルタミン酸ナトリウム、Ｎ−ヤシ油脂肪酸アシルグルタミン酸ナトリウム、Ｎ−ラウロイルグルタミン酸カリウム、Ｎ−ミリストイルグルタミン酸カリウム、Ｎ−ヤシ油脂肪酸アシルグルタミン酸カリウム、Ｎ−ラウロイルグルタミン酸トリエタノールアミン、Ｎ−ミリストイルグルタミン酸トリエタノールアミン、Ｎ−ヤシ油脂肪酸アシルグルタミン酸トリエタンールアミン、Ｎ−ラウロイルグリシンナトリウム、Ｎ−ミリストイルグリシントリエタノールアミン、Ｎ−ラウロイル−β−アラニンカリウム、Ｎ−ラウロイルスレオニントリエタノールアミン、Ｎ−ラウロイルサルコシンナトリウム、Ｎ−ラウロイル−Ｎ−メチル−β−アラニンナトリウム、Ｎ−ラウロイル−Ｎ−メチル−β−アラニントリエタノールアミン等のＮ−アシルアミノ酸およびその塩；ラウロイルイミノジ酢酸ナトリウム、ラウロイルイミノジ酢酸トリエタノールアミン、ヤシ油脂肪酸アシルイミノジ酢酸ナトリウム、ラウロイルイミノジ酢酸ジナトリウム、パーム核脂肪酸イミノジ酢酸ナトリウム等のアシルイミノジ酢酸およびその塩；ポリオキシエチレンラウリルエーテル酢酸ナトリウム、ポリオキシエチレンミリスチルエーテル酢酸カリウム、ポリオキシエチレンパルミチルエーテル酢酸トリエタノールアミン、ポリオキシエチレンステアリルエーテル酢酸ナトリウム、ポリグリセリルラウリルエーテル酢酸ナトリウム等のエーテルカルボン酸およびその塩；ヤシ油脂肪酸シルクペプチド等のアシル化ペプチド；
【００２１】
ポリオキシエチレンラウリン酸アミドエーテルカルボン酸ナトリウム、ポリオキシエチレンミリスチン酸アミドエーテルカルボン酸ナトリウム、ポリオキシエチレンヤシ油脂肪酸アミドエーテルカルボン酸トリエタノールアミン等のアミドエーテルカルボン酸およびその塩；アシル乳酸塩；アルケニルコハク酸およびその塩等が挙げられる。
【００２２】
また、本発明の洗浄剤組成物には、カチオン系界面活性剤を併用することができる。カチオン系界面活性剤としては特に限定されないが、例えば、
ラウリルトリメチルアンモニウムクロライド、ミリスチルトリメチルアンモニウムクロライド、パルミチルトリメチルアンモニウムクロライド、ステアリルトリメチルアンモニウムクロライド、オレイルトリメチルアンモニウムクロライド、セチルトリメチルアンモニウムクロライド、ベヘニルトリメチルアンモニウムクロライド、ヤシ油アルキルトリメチルアンモニウムクロライド、牛脂アルキルトリメチルアンモニウムクロライド、ステアリルトリメチルアンモニウムブロミド、ヤシ油アルキルトリメチルアンモニウムブロミド、セチルトリメチルアンモニウムメチル硫酸等のモノアルキル第四級アンモニウム塩；ジオクチルジメチルアンモニウムクロライド、ジラウリルジメチルアンモニウムクロライド、ジステアリルジメチルアンモニウムクロライド等のジアルキル第四級アンモニウム塩；ラノリン脂肪酸アミノプロピルエチルジメチルアンモニウムエチル硫酸、ラウロイルアミノエチルメチルジエチルアンモニウムメチル硫酸等のアシルアミノアルキル第四級アンモニウム塩；ジパルミチルポリエテノキシエチルアンモニウムクロライド、ジステアリルポリエテノキシメチルアンモニウムクロライド等のアルキルエテノキシ第四級アンモニウム塩；ラウリルイソキノリニウムクロライド等のアルキルイソキノリニウム塩；ラウリルジメチルベンジルアンモニウムクロライド、ステアリルジメチルベンジルアンモニウムクロライド等のベンザルコニウム塩；ベンジルジメチル｛２−［２−（ｐ-１,１,３,３、-テトラメチルブチルフェノオキシ）エトオキシ］エチル｝アンモニウムクロライド等のベンゼトニウム塩；セチルピリジニウムクロライド等のピリジニウム塩；イミダゾリニウム塩；Ｎ−ココイルアルギニンエチルエステルピロリドンカルボン酸塩、Ｎ−ラウロイルリジンエチルエチルエステル塩酸塩等のアシル塩基性アミノ酸アルキルエステル塩；ラウリルアミン塩酸塩等の第一級アミン塩；
【００２３】
ジラウリルアミン酢酸塩等の第二級アミン塩；第三級アミン塩；脂肪酸アミドグアニジニウム塩；ラウリルトリエチレングリコールアンモニウムハイドロオキサイド等のアルキルトリアルキレングリコールアンモニウム塩等が挙げられる。
【００２４】
各界面活性剤の成分（Ａ）に対する割合は特に限定されないが、本発明の効果をより発揮する観点から、成分（Ａ）：各界面活性剤の比率は１：１０００〜３００：１の範囲である事が好ましく、より好ましくは１：２００〜１００：１の範囲である。さらに好ましくは１：１０〜１０：１の範囲である。
本発明の洗浄剤組成物には、その効果を損なわない範囲において、通常、洗浄剤あるいは化粧料として用いられる各種成分を、その目的に応じて適宜配合することができる。
【００２５】
これらの成分としては、例えば、炭酸カルシウム、タルク、マイカ、カオリン、二酸化チタン、二酸化亜鉛等の粉末成分；ホホバ油、マカデミアナッツ油、アボガド油、月見草油、ミンク油、ナタネ油、ヒマシ油、ヒマワリ油、トーモロコシ油、カカオ油、ヤシ油、コメヌカ油、オリーブ油、アーモンド油、ごま油、サフラワー油、大豆油、椿油、パーシック油、ヒマシ油、ミンク油、綿実油、モクロウ、パーム油、パーム核油、卵黄油、ラノリン、スクワレン等の天然動植物油脂類；合成トリグリセライド；スクワラン、流動パラフィン、ワセリン、セレシン、マイクロクリスタリンワックス、イソパラフィン等の炭化水素類；カルナバウロウ、パラフィンワックス、鯨ロウ、ミツロウ、キヤンデリラワックス、ラノリン等のワックス類；セタノール、ステアリルアルコール、ラウリルアルコール、セトステアリルアルコール、オレイルアルコール、ベヘニルアルコール、ラノリンアルコール、水添ラノリンアルコール、ヘキシルデカノール、オクチルドデカノール等の高級アルコール類；コレステリル−オクチルドデシル−ベヘニル等のコレステロールおよびその誘導体；イソプロピルミリスチン酸、イソプロピルパルミチン酸、イソプロピルステアリン酸、２エチルヘキサン酸グリセロール、ブチルステアリン酸、リノール酸エチル等のエステル類；ジエチレングリコールモノプロピルエーテル、ポリオキシエチレンポリオキシプロピレンペンタエリトリトールエーテル、ポリオキシプロピレンブチルエーテル等の極性オイル；
【００２６】
その他、メチルフェニルポリシロキサン、メチルポリシロキサン、オクタメチルシクロテトラシロキサン、デカメチルシクロペンタシロキサン、ドデカメチルシクロヘキサシロキサン、メチルシクロポリシロキサン、オクタメチルトリシロキサン、デカメチルテトラシロキサン、ポリオキシエチレン・メチルポリシロキサン共重合体、ポリオキシプロピレン・メチルポリシロキサン共重合体、ポリ（オキシエチレン・オキシプロピレン）メチルポリシロキサン共重合体、メチルハイドロジェンポリシロキサン、テトラヒドロテトラメチルシクロテトラシロキサン、ステアロキシメチルポリシロキサン、セトキシメチルポリシロキサン、メチルポリシロキサンエマルション、高重合メチルポリシロキサン、トリメチルシロキシケイ酸、架橋型メチルポリシロキサン、架橋型メチルフェニルポリシロキサン等、更にはアミノ変性シリコーン、エポキシ変性シリコーン、カルボキシル変性シリコーン、カルビノール変性シリコーン、メタクリル変性シリコーン、メルカプト変性シリコーン、フェノール変性シリコーン、片末端反応性シリコーン、異種官能基変性シリコーン、ポリエーテル変性シリコーン、メチルスチリル変性シリコーン、アルキル変性シリコーン、高級脂肪酸エステル変性シリコーン、親水性特殊変性シリコーン、高級アルコキシ変性シリコーン、高級脂肪酸含有シリコーン、フッ素変性シリコーン等の各種誘導体を含むシリコーン類；パラアミノ安息香酸およびその誘導体、ホモメチル−７Ｎ−アセチルアラントイラニレート、ブチルメトキシベンゾイルメタン、ジ−パラメトキシケイ皮酸−モノ−２−エチルヘキサン酸グリセリル、オクチルシンナメート等のパラメトキシケイ皮酸誘導体、アミルサリシレート等のサリチル酸誘導体、２，４−ジヒドロキシベンゾフェノン等のベンゾフェノン誘導体、ジメトキシベンジリデンジオキソイミダゾリンプロピオン酸エチルヘキシル、酢酸液状ラノリン、コガネバナ根抽出エキス、トリアニリノ−ｐ−カルボエチルヘキシルオキシ−トリアジン等の紫外線吸収剤；
【００２７】
アルブチン、コウジ酸、リン酸アスコルビン酸マグネシウムなどのアスコルビン酸およびその誘導体、グルタチオン、甘草エキス、チョウジエキス、茶抽出物、アスタキサンチン、牛胎盤エキス、トコフェロールおよびその誘導体、トラネキサム酸およびその塩、アズレン、γ−ヒドロキシ酪酸等の美白成分；
【００２８】
マルチトール、ソルビトール、グリセリン、プロピレングリコール、１，３−ブチレングリコール、ポリエチレングリコール、グリコール等の多価アルコール、ピロリドンカルボン酸ソーダ、乳酸ソーダ、クエン酸ソーダなど有機酸およびその塩、ヒアルロン酸ソーダなどヒアルロン酸およびその塩、酵母および酵母抽出液の加水分解物、酵母培養液、乳酸菌培養液など醗酵代謝産物、コラーゲン、エラスチン、ケラチン、セリシン等の水溶性蛋白、コラーゲン加水分解物、カゼイン加水分解物、シルク加水分解物、ポリアスパラギン酸ナトリウム等のぺプチド類およびその塩、トレハロース、キシロビオース、マルトース、ラフィノース、メリビオース、蔗糖、ブドウ糖、植物性粘質多糖等の糖類、結晶性セルロース、非結晶性セルロース、キシラン、マンナン、ガラクタン、アラビナン、アラビノキシラン等の多糖類およびその誘導体、水溶性キチン、キトサン、ペクチン、コンドロイチン硫酸およびその塩等のグリコサミノグリカンおよびその塩、グリシン、セリン、スレオニン、アラニン、アスパラギン酸、チロシン、バリン、ロイシン、アルギニン、グルタミン、プロリン酸等のアミノ酸、アミノカルボニル反応物等の糖アミノ酸化合物、アロエ、マロニエ等の植物抽出液、トリメチルグリシン、尿素、尿酸、アンモニア、レシチン、ラノリン、スクワラン、スクワレン、グルコサミン、クレアチニン、ＤＮＡ、ＲＮＡ等の核酸関連物質等の保湿剤；
【００２９】
カルボキシメチルセルロース、ヒドロキシエチルセルロース、ヒドロキシプロピルトリメチルアンモニウムクロリドエーテル、エチルセルロース、ヒドロキシプロピルセルロース、メチルヒドロキシプロピルセルロース、デンプン、可溶性デンプン、カルボキシメチルデンプン、メチルデンプン、アルギン酸プロピレングリコールエステル、メチルセルロース、アラビアガム、キサンタンガム、グアーガム、ローカストビンガム、クインスシード、カラギーナン、ガラクタン、ペクチン、マンナン、デキストラン、サクシノグルカン、カードラン、ゼラチン、カゼイン、アルブミン、コラーゲン、メトキシエチレン無水マレイン酸共重合体、両性メタクリル酸エステル共重合体、ポリ塩化ジメチルメチレンピペリジニウム、ポリアクリル酸エステル共重合体、ポリ酢酸ビニル、ポリビニルアルコール、ポリビニルピロリドン、ポリビニルメチルエーテル、カルボキシビニルポリマー、ポリアクリル酸、ニトロセルロース、ポリエチレングリコール脂肪酸エステル、ジステアリン酸ポリエチレングリコール等のポリオキシエチレン脂肪酸エステル、ポリオキシエチレンジオレイン酸メチルグルコシド等のポリオキシエチレン脂肪酸エステルメチルグリコシド等の増粘剤；エチレンジアミン四酢酸およびその塩類、ヒドロキシエチレンジアミン３酢酸およびその塩類、リン酸、アスコルビン酸、コハク酸、グルコン酸、ポリリン酸塩類、メタリン酸塩類などの金属イオン封鎖剤；
【００３０】
エタノール、プロピレングリコール、１，３−ブチレグリコール等の有機溶剤、ブチルヒドロキシトルエン、トコフェロール、フィチン酸等の酸化防止剤；クエン酸、リンゴ酸、酒石酸、乳酸、アジピン酸、グルタミン酸、アスパラギン酸、マレイン酸等の有機酸；ビタミンＡ及びその誘導体；ビタミンＢ６塩酸塩、ビタミンＢ６トリパルミテート、ビタミンＢ６ジオクタノエート、ビタミンＢ２及びその誘導体等のビタミンＢ類；アスコルビン酸、アスコルビン酸硫酸エステル、アスコルビン酸リン酸エステル等のビタミンＣ類、αトコフェロール、βトコフェロール、γトコフェロール等のビタミンＥ類、ビタミンＤ類、ビタミンＨ、パントテン酸等のビタミン類； ニコチン酸アミド、ニコチン酸ベンジル、γ−オリザノール、アラントイン、グリチルリチン酸（塩）グリチルレチン酸およびその誘導体、ヒノキチオール、ムシジン、ビサボロール、ユーカリプトール、チモールイノシトール、サポニン類（キラヤサポニン、アズキサポニン、ヘチマサポニン等）トラネキサム酸、パントテルエチルエーテル、エチニルエストラジオール、セファランジン、プラセンタエキス、センブリエキス、セファランチン、ビタミンＥおよびその誘導体、ガンマーオリザノールなどの血行促進剤；トウガラシチンキ、ショオウキョウチンキ、カンタリスチンキ、ニコチン酸ベンジルエステルなどの局所刺激剤、各種ビタミンやアミノ酸などの栄養剤、グリチルレチン酸、グリチルリチン酸誘導体、アラントイン、アズレン、アミノカプロン酸、ヒドロコルチゾンなどの抗炎症剤；
【００３１】
酸化亜鉛、硫酸亜鉛、アラントインヒドロキシアルミニウム、塩化アルミニウム、スルホ石炭酸亜鉛、タンニン酸などの収斂剤；メントール、カンフルなどの清涼剤；抗ヒスタミン剤；トコフェロール類、ＢＨＡ、ＢＨＴ、没食子酸、ＮＤＧＡ、ユビキノンなどの酸化防止剤等の各種薬剤；サッカロマイセスなどの酵母、糸状菌、バクテリア、牛胎盤、人胎盤、人臍帯、酵母、牛コラーゲン、牛乳由来蛋白、小麦、大豆、牛血液、ブタ血液、鶏冠、カミツレ、キュウリ、コメ、シアバター、シラカバ、茶、トマト、ニンニク、ハマメリス、バラ、ヘチマ、ホップ、モモ、アンズ、レモン、キウイ、ドクダミ、トウガラシ、クララ、ギシギシ、コウホネ、セージ、ノコギリ草、ゼニアオイ、センキュウ、センブリ、タイム、トウキ、トウヒ、バーチ、スギナ、ヘチマ、マロニエ、ユキノシタ、アルニカ、ユリ、ヨモギ、シャクヤク、アロエ、アロエベラ、オウゴン、オウバク、コウカ、ベニバナ、サンシン、シコン、タイソウ、チンピ、ニンジン、ヨクイニン、ハトムギ、クチナシ、サワラ等の動植物・微生物およびその一部から有機溶媒、アルコール、多価アルコール、水、水性アルコール等で抽出または加水分解して得た天然エキス；色素；香料；ラノリン、コレステロール、サポニン等の天然界面活性剤；アルギン酸ナトリウム、澱粉誘導体、トラガントゴム等の高分子界面活性；精製水等が挙げられる。
【００３２】
このうち、粉末成分との併用は、物理的な摩擦効果によって洗浄力を高めると共に、粒子表面に汚れを吸着することで有効である。
また、油性成分との併用は油性成分の溶剤効果により油性の汚れを可溶化する効果があるために洗浄力の向上に適している。油性成分の中でも、シリコーン類との併用は使用後にさっぱりした感触を与える為に特に有効である。
【００３３】
さらに、保湿剤を併用することは過剰な脱脂による皮膚の荒れを防止することが出来、使用感の向上に寄与する。
金属イオン封鎖剤、酸化防止剤との併用は長期間または過酷な使用条件下における製品の変化を防止し、良好な使用感を提供しつづける上で有効である。
【実施例】
【００３４】
次に、本発明を実施例により更に詳細に説明するが、本発明の技術的範囲及びその実施態様はこれに限定されるものではない。実施例で得られた洗浄剤組成物の特性は、以下の方法によって評価した。
＜起泡力の評価＞
界面活性剤濃度０．３３％とした試料３００ｇをミキサーに入れ３０秒間撹拌し、直後および５分後の泡の高さを測定しこれを「起泡力」とした。なお、上記の測定における試料温度は、２５℃とした。
＜粘度＞
Ｂ型粘度計を用い、２５℃における粘度を測定した。
【００３５】
［実施例１〜１３、比較例１〜４］
表１に記載の成分を精製水と混合し、洗浄剤組成物を調製した（クエン酸又はクエン酸ナトリウムによりｐＨを５．５に調整した）。得られた洗浄剤組成物を上記の方法で評価した。結果を表１に示す。
【００３６】
【表１】
2014205857.tif 000004
【００３７】
注１）旭化成ケミカルズ（株）  ＡＣＭＴ−Ｌ
注２）ミヨシ油脂（株）  アンホレックスＬＢ−２
注３）ミヨシ油脂（株）  アンホレックスＣＢ−１
注４）新日本理化（株）  リカビオンＡ−１００
注５）東邦化学工業（株）  オバゾリンＢＣ
注６）川研ファインケミカル（株）  アミゾールＣＭＥ
注７）川研ファインケミカル（株）  アミゾールＣＤＥ
注８）花王（株）  アミノーンＣ−１１Ｓ
注９）川研ファインケミカル（株）  ビスコファインＥ２Ｓ
本発明の組成物（実施例１〜１３）は起泡性、増粘性において優れた結果を示した。
【産業上の利用可能性】
【００３８】
本発明は、アシルアミノ酸系界面活性剤を配合した洗浄剤組成物であって、起泡性と増粘性がともに優れる洗浄剤組成物として利用可能である。